(57)【要約】  操作性よくペン先を突出入させることができる筆記具を提供する。  芯材１５を、常時はペン先１４が軸筒１２内にあるように、軸筒１２の後部方向に付勢する付勢部材３２と、軸筒１２の前部側に設けられたスリット２６と、スリット２６に沿って前後方向に移動自在にガイドされた操作部材２０と、ペン先１４が挿通する軸孔１８を有し、開口部１３付近の軸筒１２内に固定された方向変換部材１６と、フレキシブルな部材からなり、孔部と蓋部を有し、軸筒１２内において、方向変換部材１６の先端部にＵ字状に跨って該先端部に沿ってスライド自在に配置され、一端が操作部材２０に連結され、他端が芯材１５に連結されたカバー部材２８とを具備することを特徴とする。
2010100800.tif 000002
【特許請求の範囲】
【請求項１】
軸筒内に、先端側がペン先とされた芯材が、軸筒先端の開口部からペン先が突出入可能に設けられた筆記具において、
前記芯材を、常時はペン先が軸筒内にあるように、軸筒の後部方向に付勢する付勢部材と、
前記軸筒の前部側に軸筒の長手方向に設けられたスリットと、
該スリットに沿って前後方向に移動自在に前記軸筒にガイドされた操作部材と、
前記ペン先が挿通する軸孔を有し、前記開口部付近の軸筒内に固定された方向変換部材と、
フレキシブルな部材からなり、孔部および蓋部を有し、前記軸筒内において、前記方向変換部材の先端部にＵ字状に跨って該先端部に沿ってスライド自在に配置され、一端が前記操作部材に連結され、他端が前記芯材に連結され、スライド移動することにより前記方向変換部材の軸孔を開閉可能なカバー部材とを具備し、
指からの外力によって前記付勢部材の付勢力に抗して前記操作部材が前記スリットに沿って前記軸筒の後部方向に移動されると、前記カバー部材を介して前記芯材が前方に引っ張られ、前記ペン先がカバー部材の孔部を貫通して軸筒先端の前記開口部から前方に突出し、前記操作部材への外力が取り除かれると、前記付勢部材の付勢力によって、芯材が後方に移動し、ペン先がカバー部材の孔部から軸筒内に引っ込むと共に、前記操作部材が前方に移動し、カバー部材の蓋部により前記方向変換部材の軸孔が覆われることを特徴とする筆記具。
【請求項２】
前記操作部材は、前端側に回動軸を中心に前後方向に回動する指掛け部を有し、
前記カバー部材の一端側が前記指掛け部に連結され、
該指掛け部が後方に向けて回動されると共に、前記操作部材が後方に移動されることによって、前記カバー部材を介して前記芯材が前方に引っ張られることを特徴とする請求項１記載の筆記具。
【請求項３】
前記方向変換部材は、前記カバー部材が当接する車輪を備えることを特徴とする請求項１または２記載の筆記具。
【請求項４】
ペン先が軸筒の開口部から前方に突出した位置で、前記操作部材への外力を取り除いた際にもペン先が軸筒内に戻らないようにするストッパ機構を有することを特徴とする請求項１〜３いずれか１項記載の筆記具。
【請求項５】
前記ストッパ機構は、後方に移動された際の前記操作部材を係止する係止部材を含むことを特徴とする請求項４記載の筆記具。
【請求項６】
前記ストッパ機構は、前方に移動された際の前記芯材を係止する係止部材を含むことを特徴とする請求項４記載の筆記具。
【請求項７】
ペン先が不用意に軸筒の開口部から前方に突出しないようにペン先の移動を規制するストッパ機構を有することを特徴とする請求項１〜６いずれか１項記載の筆記具。
【請求項８】
前記ストッパ機構は、前方に位置している前記操作部材の移動を規制することを特徴とする請求項７記載の筆記具。
【請求項９】
前記ストッパ機構は、後方に位置している前記芯材の移動を規制することを特徴とする請求項７記載の筆記具。
【請求項１０】
前記方向変換部材の軸孔の内壁に、前記芯材の外壁に当接して前記軸孔内を密閉するシール部材を有することを特徴とする請求項１〜９いずれか１項記載の筆記具。
【請求項１１】
前記操作部材は、前記スリットを覆うシール部材を有していることを特徴とする請求項１〜１０いずれか１項記載の筆記具。
【発明の詳細な説明】
【技術分野】
【０００１】
本発明は、使用後ペン先を軸筒内に格納可能な筆記具に関する。
【背景技術】
【０００２】
特に蛍光ペンのような筆記具は、他の筆記具のようにある程度連続使用するものとは違い、書籍などを読んでいく中でたまに出てくる大事な個所に線を引くといった、ほんの少し使って間を空け、またほんの少し使うといった断続的な使用方法が主である。そのような場合、ペン先の出しっぱなしによるインクの乾きや、ペンを持つ手でページをめくる際にうっかりインクが紙に付いてしまったり、使用後に蓋をし忘れたりといった不具合が起こりやすい。しかし、いちいち別体の蓋を被せるとか、筆記具後端に設けられた操作部をノックしてペン先を格納するということは、すなわち筆記具を持ちかえなければならないということであり、線を引き終わるたびにその操作を繰り返すのは非常に面倒な作業である。
このような課題に対し、特許文献１に示されるような自動的にペン先が格納される筆記具が有効である。
この特許文献１に示される筆記具は、後端が連結した上下一対の湾曲板状部材の軸心に芯を設け、湾曲板状部材の先端で、ペン先が出没可能な開口を形成し、芯と湾曲板状部材を折り畳み自在の連結部材で連結し、使用時に握ることで湾曲板状部材が押圧されて内方向へ変形し、連結部材が折り畳まれて芯を前進させ、ペン先が開口から突出し、使用後に握りを解除し、湾曲板状部材が復元してペン先が格納されるように構成されている。
【先行技術文献】
【特許文献】
【０００３】
【特許文献１】特開２００６−４４１７７
【発明の概要】
【発明が解決しようとする課題】
【０００４】
しかし、上記特許文献１の筆記具では、その構造上、上下一対の湾曲板状部材が幅広のものとなり、持ちにくく、筆記しづらいものであり、また、筆入れ等への収納性も悪いものであった。
本発明は上記課題を解決すべくなされたものであり、その目的とするところは、簡易な構造でありながら操作性よくペン先を突出入させることができる筆記具を提供するにある。
【課題を解決するための手段】
【０００５】
本発明に係る筆記具は、軸筒内に、先端側がペン先とされた芯材が、軸筒先端の開口部からペン先が突出入可能に設けられた筆記具において、前記芯材を、常時はペン先が軸筒内にあるように、軸筒の後部方向に付勢する付勢部材と、前記軸筒の前部側に軸筒の長手方向に設けられたスリットと、該スリットに沿って前後方向に移動自在に前記軸筒にガイドされた操作部材と、前記ペン先が挿通する軸孔を有し、前記開口部付近の軸筒内に固定された方向変換部材と、フレキシブルな部材からなり、孔部および蓋部を有し、前記軸筒内において、前記方向変換部材の先端部にＵ字状に跨って該先端部に沿ってスライド自在に配置され、一端が前記操作部材に連結され、他端が前記芯材に連結され、スライド移動することにより前記方向変換部材の軸孔を開閉可能なカバー部材とを具備し、指からの外力によって前記付勢部材の付勢力に抗して前記操作部材が前記スリットに沿って前記軸筒の後部方向に移動されると、前記カバー部材を介して前記芯材が前方に引っ張られ、前記ペン先がカバー部材の孔部を貫通して軸筒先端の前記開口部から前方に突出し、前記操作部材への外力が取り除かれると、前記付勢部材の付勢力によって、芯材が後方に移動し、ペン先がカバー部材の孔部から軸筒内に引っ込むと共に、前記操作部材が前方に移動し、カバー部材の蓋部により前記方向変換部材の軸孔が覆われることを特徴とする。
前記操作部材に、前端側に回動軸を中心に前後方向に回動する指掛け部を設け、前記カバー部材の一端側を前記指掛け部に連結し、指掛け部が後方に向けて回動されると共に、前記操作部材が後方に移動されることによって、前記カバー部材を介して前記芯材が前方に引っ張られるようにしてペン先を突出させるようにしてもよい。
前記方向変換部材に、前記カバー部材が当接する車輪を設けるようにすると好適である。
ペン先が軸筒の開口部から前方に突出した位置で、前記操作部材への外力を取り除いた際にもペン先が軸筒内に戻らないようにするストッパ機構を設けるようにしてもよい。
また、不使用時にペン先が不用意に突出しないようにペン先の移動を規制するストッパ機構を設けるようにしてもよい。【０００６】
発明の効果
本発明によれば、操作部材を指先で手前側に引くことによってペン先を突出させて筆記でき、そして、持ち変えることなく、指先を操作部材から離すだけで、自動的にペン先を軸筒内に引っ込めることができるので、操作性に優れる。また、カバー部材は軸筒内に位置するので、手指に接触することがなく、この点でも操作性に優れると共に、外部からほとんど見えないので、体裁もよい。
【図面の簡単な説明】
【０００７】
【図１】ペン先格納状態における筆記具の概略的な側面断面図である。
【図２】ペン先突出状態における筆記具の概略的な側面断面図である。
【図３】筆記具の正面断面図である。
【図４】ペン先突出状態における筆記具の概略的な平面断面図である。
【図５】カバー部材の説明図である。
【図６】スリットの形状を示す説明図である。
【図７】使用開始時における筆記具の把持状態の説明図である。
【図８】使用時におけるペン先を露出させた状態の説明図である。
【図９】カバー部材の他の実施の形態を示す説明図である。
【図１０】方向変換部材の軸孔内にシール部材を設けた例を示す説明図である。
【図１１】操作部材に指掛け部を設けた実施の形態の説明図である。
【図１２】指掛け部を回動した状態の説明図である。
【図１３】指掛け部を回動し、さらに操作部材を後方に引いてペン先を突出させた状態の説明図である。
【図１４】指掛け部の説明図である。
【図１５】Ｔ字状スリットの説明図である。
【図１６】指掛け部に指を掛けた状態の説明図である。
【図１７】指掛け部を回動し、さらに操作部材を後方に引いてペン先を突出させた状態の説明図である。
【図１８】指掛け部の他の実施の形態を示す説明図である。
【図１９】クリップ片を伸縮可能に設けた構造を示す説明図である。
【図２０】クリップ片にＴ字状溝を設けた説明図である。
【図２１】クリップ片を係止突起に係止してペン先の突出状態を維持する例を示す説明図である。
【図２２】ストッパリングの説明図である。
【図２３】軸筒に周方向に伸びるスリットを設けた説明図である。
【図２４】芯材に係止筒を設けた状態を示す説明図である。
【図２５】方向変換部材に小車輪を設けた状態を示す平面説明図である。
【図２６】方向変換部材に小車輪を設けた状態を示す側面説明図である。
【発明を実施するための形態】
【０００８】
以下本発明の好適な実施の形態を添付図面に基づいて詳細に説明する。
図１は筆記具１０の概略を示す断面図、図２は、ペン先を突出させた状態の筆記具１０を示す断面図である。
１２は軸筒であり、先端に開口部１３が形成されている。軸筒１２の断面形状は円形が好ましいが特に限定されない。
軸筒１２内には、先端側がペン先１４とされた芯材１５が、開口部１３からペン先１４が突出入可能となるよう、軸線方向に移動自在に収納されている。
ペン先１４は、例えば蛍光ペンのような場合は、蛍光性インクを含浸したフェルト製のものとすることができる。フェルト製のペン先１４は芯材１５の部分を樹脂製、もしくは金属製のカバー（図示せず）で覆い、先端のみ露出させて、インクの蒸散を防止するようにするとよい。あるいはペン先１４と芯材１５とは別体のものとし、芯材１５を、インクを収納したカートリッジ式のものとすることもできる。このようにペン先１４と芯材１５の構成は特に限定されるものではない。また蛍光ペン等のフェルトペンに限定されるものではなく、他の筆記具にも広く適用できる。
１６は方向変換部材であり、軸孔１８を有する。方向変換部材１６は、開口部１３付近の軸筒１２内に適宜接着剤などの固定手段によって固定されている。方向変換部材１６は先端部がほぼ半円柱状をなすブロック状に形成されている。方向変換部材１６は芯材１５の移動のガイドを兼用するものであり、軸孔１８内にペン先１４が移動自在にガイドされる。また、芯材１５の中途部は、軸筒１２内に接着剤などの適宜手段によって固定されたリング状のガイド１９によってガイドされる。
次に、２０は操作部材であり、軸筒１２に長手方向に設けられたスリット２６（図６参照）に沿って、前後方向に移動自在に軸筒１２にガイドされている。
本実施の形態では、操作部材２０はクリップを兼ねている。すなわち、操作部材２０は、スライド片（シール部材）２１とクリップ片２２とを備えている。スライド片２１の一部がスリット２４を貫通して軸筒１２内に進入し、この進入部２３の先端側に幅広の抜け止め片２４が形成され、抜け止め片２４が軸筒１２内壁に当接することによって、操作部材２０がスリット２６に沿って移動可能となっている（図３参照）。
スライド片２１がスリット２６をできるだけ広い範囲で覆うようになっていて、これにより、軸筒１２内をできるだけ密閉し、軸筒１２内にごみなどが入り込むのを防止するようにしている。
次に、２８はカバー部材である。カバー部材２８は、フレキシブルな帯状シート材からなり、中途部に長手方向に長い長孔（孔部）３０を有する（図５参照）。そしてカバー部材２８は、図１に示すように、軸筒１２内において、方向変換部材１６の先端部にＵ字状に跨って該先端部に沿ってスライド自在に配置され、一端が操作部材２０における抜け止め部２４に連結され、他端が芯材１５に適宜手段によって連結されている。したがって、操作部材２０がスリット２６に沿って移動すると、カバー部材２８もそれに伴って、方向変換部材１６の先端の円弧面に沿ってスライド移動する。筆記具１０の不使用時にはカバー部材２８は長孔３０以外の部分（蓋部）によって軸孔１８を閉塞し、スライド移動して長孔３０が軸孔１８の位置に位置すると軸孔１８を開放し、その際、ペン先１４が長孔３０を貫通可能となる。
次に、３２はコイルスプリングからなる付勢部材であり、リング１９と、芯材１５に設けたリング部３３との間に介挿され、常時（不使用時）はペン先１４が軸筒１２内にあるように、軸筒１２の後部方向に芯材１５を付勢している。なお、付勢部材３２はコイルスプリングでなくともよく、板ばね等の弾性部材であってもよい。
なお、方向変換部材１６やリング１９を軸筒１２内に組み込んだり、操作部材２０を軸筒１２に組み付けたりするために、軸筒１２は、適宜軸方向に複数に分割し、これら各部材を組み込んだ後、接着剤で接合するとか、螺合して接続するとかするとよい。
本実施の形態は上記のように構成されている。
続いて筆記具１０を使用する場合の動作について説明する。
常時（不使用時）は、芯材１５は付勢部材３２により軸筒１２の後部方向に向けて付勢され、これによりカバー部材２８も後方に引かれ、逆に操作部材（クリップ）２０はカバー部材を介して前方に移動し、待機位置に位置している。この状態は、不使用状態であり、このとき、カバー部材２８の蓋部は方向変換部材２８の軸孔１８を覆うことから、軸孔１８内がほぼ密閉状態となり、揮発性インクの蒸散が防止される（図１参照）。
筆記具１０を使用する場合には、軸筒１２を握り（図７）、人差指にて操作部材２０を後方に引く（図８）。すると、カバー部材２８も付勢部材３２の付勢力に抗して後方側に引かれ、一方カバー部材２８の芯材１５に連結されている側は前方に引かれ、これにより芯材１５も前方に移動する。操作部材２０をさらに後方に移動させると、カバー部材２８の長孔３０が方向変換部材１６の軸孔１８を開放し、ペン先１４が、長孔３０を通過し、さらに開口部１３から前方に突出し、筆記可能状態となる（図２、図４、図８参照）。人差指に若干力を込めて、ペン先１４の突出状態を維持しながら筆記すればよい。
筆記を継続しない場合には、指先を操作部材２０から外す。すると、付勢部材３２の付勢力によって、芯材１５およびカバー部材２８が後方に移動し、ペン先１４がカバー部材２８の長孔３０から軸筒１２内に引っ込むと共に、操作部材２０が前方に移動し、カバー部材２８により方向変換部材１６の軸孔１８が覆われる状態となり、不使用状態（待機状態）に戻るのである。
このように、本実施の形態では、操作部材２０を指先で手前側に引くことによってペン先１４を突出させて筆記でき、そして、持ち変えることなく、指先を操作部材２０から離すだけで、自動的にペン先１４を軸筒１２内に引っ込めることができるので、操作性に優れる。また、カバー部材は軸筒内に位置するので、手指に接触することがなく、この点でも操作性に優れると共に、外部からほとんど見えないので、体裁もよい。不使用時には、ペン先１４の位置する軸孔１８内は密閉状態となるので、揮発性インクの場合の蒸散が防止できる。
なお、カバー部材２８はフレキシブルな帯状シート材を用いるのでなくともよく、図９に示すように、２本の線状部材２８ａ間の所要箇所に蓋部２８ｂを固定して設けたものでもよい。蓋部２８ｂ以外の線状部材２８ａ、２８ａ間が孔部３０となる。
また、図１０に示すように、方向変換部材１６の軸孔１８の内壁面にＯリング等のシール部材１７を設けて、シール部材１７を芯材１５の外周に当接させて、シール部材１７から前方の軸孔１８内を気密にし、ペン先１４の乾燥を防止するようにするとよい。あるいはシール部材を設ける代わりに、当該部位の方向変換部材１６の内周部にリング状の凸部（図示せず）を設けて、軸孔１８内壁と芯材１５との間の隙間を狭めることによって、ペン先１４の乾燥を防止するようにしてもよい。
図１１〜図１７は筆記具１０の他の実施の形態を示す。
上記実施の形態と同一の部材は同一の符号を付し、説明を省略する。
本実施の形態では、図１１、図１４等に示すように、操作部材２０には、前端側に回動軸４０を中心に前後方向に回動する指掛け部４２が設けられている。
指掛け部４２は、図１４に示すように平板部４３と起立部４４を有していて、断面形状がほぼＴ字状をなしている。また、指掛け部４２の起立部４４の前端縁に、回動軸４０を中心とする円弧状をなすストッパ板４５が設けられている。このストッパ板４５にカバー部材２８の一端側が連結されている。
そして不使用状態において、指掛け部４２は、付勢部材３２によりカバー部材２８を介して図１１において左方に回動した状態で、平板部４３がクリップ片２２とほぼ同一平面になって連続するようになっている。この平板部４３を指で押すことによって、指掛け部４２が図１１において右方に回動する。
なお、スリット２６は、図１５に示すように、軸筒１２の周方向に伸びる横溝と縦方向に伸びる縦溝からなるＴ字状に形成されている。
本実施の形態は上記のように構成されている。
ストッパ板４５は、筆記具１０の不使用時には、Ｔ字状スリット２６の、軸筒１２の周方向に伸びる横溝内に位置し、操作部材２０がスリット２６に沿って移動しようとしても、ストッパ板４５がスリット２６の縦溝（長手方向のスリット）の縁に当接するので、操作部材２０の移動を阻止する。したがって、不使用時、ペン先１４が不用意に突出されることはない。
使用時には、図１２、図１７に示すように、指掛け部４２の平板部４３を指先で押して指掛け部４２を回動軸４０を中心に右方に回動させる。ストッパ板４５は回動軸４０を中心とする円弧状に形成されているので、軸筒１２内に回り込む。これにより、カバー部材２８の一端側が後方に引かれる。指掛け部４２は、ストッパ板４５がスリット２６の縦溝の縁から外れる位置まで回動されることができる（図１２）。ストッパ板４５がスリット２６の縦溝の縁から外れる位置まで回動すると、今度は操作部材２０はスリット２６の縦溝に沿って後方に移動可能となり、ペン先１４を開口部から突出させて筆記可能状態とすることができる（図１３）。
上記のように本実施の形態では、不使用時にペン先１４が不用意に飛び出すことを防止でき、ペン先１４が乾くのを防止できる。
使用時には、上記のように、指掛け部４２を回動することによって、カバー部材２８を所定ストローク後方に引くことができ、次いで、操作部材２０を後方に残りの所要ストロークだけ移動させてペン先１４を突出させることができるので、操作部材２０を引くストロークを短くできる。筆記する際、指を後方に長く引くと筆記動作が行いにくくなるが、本実施の形態では、指の後方へ引く動作が少なくてすむので、それだけ操作性に優れるものとなる。また指掛け部４２の回動動作は、指先の動きになじむものであるので、自然な動作でペン先１４の突出を行うことができる（図１６、図１７）。
なお、指掛け部４２において、ストッパ板４５は必ずしも設けなくともよい。この場合、図１８に示すように、カバー部材２８は、起立部４４の前端縁に横方向に長く設けた取り付け部４６に連結するようにするとよい。
この実施の形態の場合には、指掛け部４２の回動動作と操作部材２０の後方へ引く動作とを並行して行うことができるので、指のより自然な動作でペン先１４を突出させることができる。
図１９〜図２１は、ペン先１４を突出させた状態を維持するストッパ機構を設けた実施の形態を示す。
本実施の形態では、操作部材２０のクリップ片２２を伸縮可能に設け、伸びた状態にて軸筒１２の外周面に設けた係止突起（係止部材）４８に係止できるようにして、ペン先１４の突出状態を維持できるようにしている（図２１）。
具体的には、図１９、図２０に示すように、操作部材本体２０ａに断面Ｔ字状のスライド軸５０を設け、クリップ片２２に断面がＴ字状をなす溝２２ａを設けて、スライド軸５０が溝２２ａに嵌合するようにして、クリップ片２２がスライド軸５０に沿って前後方向にスライドするようにしている。
そして、スライド軸５０の後端には突起５１を設け、溝２２ａの後端側には突起５１が所要範囲で移動できる大きな空間２２ｂを設けている。クリップ片２２が所要距離後退した位置で、突起５１が空間２２ｂの端部となるクリップ片２２に引っ掛かるようにしている。そしてクリップ片２２の後端には、クリップ片２２が後退した位置で軸筒１２に設けた係止突起４８に引っ掛かる係止凸部５２を設けている。係止凸部５２は、スライド軸５０の弾性によって係止突起４８に引っ掛かるようになっていて、軽い力で係止可能になっている（図２１）。
本実施の形態では、継続して筆記動作を行う場合に、簡単な動作によってペン先１４の突出状態を維持できるようにしている。ペン先１４を軸筒１２内に戻すには、クリップ片２２の後端を指で持ち上げ、係止凸部５２の係止突起４８への係合を外すようにするだけでよい。
図２２〜図２４は、ペン先１４の突出状態と突入状態との両状態を維持できるストップ機構を設けた実施の形態を示す。
本実施の形態では、軸筒１２の適所に、周方向に伸びるスリット５４が形成されている（図２３）。そして、このスリット５４に一致する位置の軸筒１２上に、ほぼＣ字状をなすストップリング５５（図２２）が、自身の弾性力によって軸筒１２上に保持されるように取り付けられている（取り付けられた状態は図示せず）。
ストップリング５５の内周側の中央部には凸部５６が設けられ、この凸部５６がスリット５４を貫通して、軸筒１２内に所要高さ突出するようになっている。したがって、ストップリング５５は、凸部５６がスリット５５の両端部に当接する範囲で軸筒１２の周方向に回動自在となっている。
ストップリング５５と対応する芯材１５の外周面には、所要長さの係止筒５８が固定されている。この係止筒５８の周面には軸方向に伸びる溝５９と、この溝５９の両端部からそれぞれ周方向に伸びる溝６０、溝６１とが形成されている。これらの溝に凸部５６の先端部が進入している。
通状の、ペン先１４の突出入動作の際には、ストップリング５５の凸部５６が溝５９内に位置するようにストップリング５５の位置を設定する。
ペン先１４が開口部１３から突出した筆記可能状態を維持しようとするときは、図２４において、凸部５６が溝６１に進入するようにストップリング５５を回し込むようにするとよい。
また、不使用時、ペン先１４が開口部から不用意に突出しないように、ペン先１４が軸筒１２内に位置するようにする際には、図２４において、凸部５６が溝６０に進入するようにストップリング５５を回し込むようにするとよい。
これらのストッパ機構は必ずしも設けなくともよいものである。
図２５、図２６はさらに他の実施の形態を示す。
本実施の形態では、方向変換部材１６の先端の半円柱状部の両端側に回転軸６２を中心として回転する小車輪６３、６３を設けている。小車輪６３、６３の外周面は、半円柱状部の周面から僅かに外方に突出するようにする。
本実施の形態によれば、カバー部材２８が小車輪６３、６３に当接することから、カバー部材２８の方向変換部材１６に対する摩擦抵抗が少なくなり、カバー部材２８が比較的小さな力で移動可能となる。したがって、付勢部材３２の付勢力がそれほど大きなものでなくともよく、小さなコイルスプリングを用いることができるというメリットがある。
【図１】
2010100800.tif 000003
【図２】
2010100800.tif 000004
【図３】
2010100800.tif 000005
【図４】
2010100800.tif 000006
【図５】
2010100800.tif 000007
【図６】
2010100800.tif 000008
【図７】
2010100800.tif 000009
【図８】
2010100800.tif 000010
【図９】
2010100800.tif 000011
【図１０】
2010100800.tif 000012
【図１１】
2010100800.tif 000013
【図１２】
2010100800.tif 000014
【図１３】
2010100800.tif 000015
【図１４】
2010100800.tif 000016
【図１５】
2010100800.tif 000017
【図１６】
2010100800.tif 000018
【図１７】
2010100800.tif 000019
【図１８】
2010100800.tif 000020
【図１９】
2010100800.tif 000021
【図２０】
2010100800.tif 000022
【図２１】
2010100800.tif 000023
【図２２】
2010100800.tif 000024
【図２３】
2010100800.tif 000025
【図２４】
2010100800.tif 000026
【図２５】
2010100800.tif 000027
【図２６】
2010100800.tif 000028
【国際調査報告】
2010100800.tif 000029
2010100800.tif 000030
2010100800.tif 000031
2010100800.tif 000032